(57)【要約】【課題】各種冷蔵庫に使用されるスイッチ開閉装置に関し、扉を取り外し交換する際に、扉を枢支している枢軸のガタツキや変形を防止することを図る。【解決手段】筒状の扉支持部材１６を補強枠１４に固着し、扉２の上面縁部に凹形状で底面にＤ形状の凸部１７ａを形成した第１枢軸１７に扉支持部材１６を差し込んで枢支し、前記扉支持部材１６からの落下防止する当接部１８ａと前記当接部１８ａから上方向に突起形状のカム１８ｂと前記第１枢軸１７との回転を防止する第１補助枢軸部１８ｃの下端にＤカット部１８ｄを一体で形成した第１補助枢軸１９を前記筒状の扉支持部材１６を介して挿着することにより、扉２を交換する際に、第１補助枢軸１９に負荷が加わっても第１補助枢軸１９の変形やガタツキ等の不具合を防止することができる。【選択図】  図１
2005030638.tif 000002
【特許請求の範囲】
【請求項１】
前面に開口を有した本体キャビネットと、前記本体キャビネットの左右縁部の下に下ヒンジと、前記開口の両側に配設した扉の上面縁部に凹形状で底面にＤ状の凸部を設けた第１枢軸を嵌合した扉と、筒形状で上下方向に任意の位置に取付け面を有した扉支持部材を固着したテーブル用の補強枠と、前記第１枢軸との回転を防止するＤカット部を下端に設けた第１補助枢軸部と、カムを一体で形成した第１補助枢軸と、前記補強枠の扉とは反対側に固定されたマイクロスイッチと、前記マイクロスイッチの先端にローラを有する摺動自在の作動腕とを設けたことを特徴とする冷蔵庫。
【請求項２】
前記開口の両側に配設した扉の上面縁部に凹形状で底面にＤ状の凸部を設けた第１枢軸と、前記補強枠に設けた筒状の扉支持部材によって枢支された扉と、前記第１補助枢軸の第１枢軸との回転を防止するＤカット部を下端に設けた第１補助枢軸部を前記扉支持部材より若干短くし隙間を設けたことを特徴とする請求項１記載の冷蔵庫。
【発明の詳細な説明】
【０００１】
【発明の属する技術分野】
本発明は、扉の開閉動作により庫内ランプ、冷気循環ファン等のスイッチを開閉する冷蔵庫に関するものである。
【０００２】
【従来の技術】
近年、各種冷蔵庫は、庫内が見えるガラス窓付扉等が求められ、扉交換等を容易に行える必要がでてきた。これらの課題を解決するため、種々の発明がなされている（例えば、特許文献１参照。）。
【０００３】
以下、図面を参照しながら上記従来の冷蔵庫を説明する。図６、図７、図８、図９、図１０は従来の冷蔵庫の構造を示しており、１は前面に開口を有した断熱箱体からなる本体キャビネットで、２は前記開口の両側に配設された断熱箱体を有する扉で、前記本体キャビネット１の左右縁部の下に、前記扉２の下部を軸支する下ヒンジ３が固着されている。４はテーブルで、５は前記扉２の上部にヒンジ穴６を有し、貫通穴７と取付け面７ａを有したピンカラー８をビス等で固着してなるテーブル４の補強枠。９は切り欠き部９ａを設けた第１枢軸で前記扉２の上面縁部に固着され、前記補強枠５のヒンジ穴６に挿着したピンカラー８を介して、前記扉２に設けた第１枢軸９によって枢支されている。１０は第１補助枢軸で、前記ピンカラー８からの落下防止する当接部１０ａと、前記第１枢軸９との回転を防止する凸部１０ｂと角形状の支持部１０ｃを設けている。１１はマイクロスイッチで先端にローラ１１ａを有する揺動自在のスイッチ作動腕１１ｂを設け、前記補強枠５の扉２とは反対側に固定されている。１２はカムで、角形状の貫通穴１２ａを設け、前記第１補助枢軸１０に挿着され、上面にクッション材１３を設けている。
【０００４】
以上のように構成された冷蔵庫について、以下その動作を説明する。
【０００５】
まず、扉２を開閉することにより、扉２の上部に設けた第１枢軸９と、補強枠５にあるピンカラー８を貫通し、ピンカラー８からの落下防止する当接部１０ａと第１枢軸９との回転を防止する凸部１０ｂを設け第１枢軸９と嵌合する第１補助枢軸１０は、カム１２と共に回転し、カム１２と一部係合するスイッチ作動腕１１ｂのローラ１１ａはカム１２の円周上に沿って滑らかに転がり、マイクロスイッチ１１の前記スイッチ作動腕１１ｂを介して開閉する。
【０００６】
【特許文献１】
実開昭５７−１９８５９０号公報
【０００７】
【発明が解決しようとする課題】
しかしながら、上記従来の構成では、扉２を外すと第１補助枢軸１０は、前記扉２の上部に設けた第１枢軸９扉２との回転を防止する凸部１０ｂの嵌合部分が外れる。補強枠５にあるピンカラー８の貫通穴７に挿入されて設けられているため、前記第１補助枢軸１０が回転する。また、ガタツキが生じ、前記扉２を取り付ける際に、第１枢軸９との回転を防止する凸部１０ｂと、前記第１枢軸９のきり欠き部９ａの位置が合わせにくく、前記扉２を取り付けしにくいという欠点があった。
【０００８】
また、上記従来の構成では、扉２を取り付ける際、前記扉２の第１枢軸９のきり欠き部９ａを、前記第１補助枢軸１０の回転を防止する凸部１０ｂに嵌合するため、前記扉２を持ち上げながら行うので、前記第１補助枢軸１０が上に持ち上げられてカム１２がテーブル４に当るため、前記カム１２の上にクッション材１３を設けなければならず、部品も多く、工数も大という欠点があった。
【０００９】
本発明は、上記従来の課題を解決するもので、開口の両側に配設した扉の上面縁部に凹形状で底面にＤ状の凸部を設けた第１枢軸を嵌合した扉と、筒形状で上下方向に任意の位置に取付け面を有した扉支持部材を固着したテーブル用の補強枠と、前記第１枢軸との回転を防止するＤカット部を下端に設けた第１補助枢軸部とカムを一体で形成した第１補助枢軸とで構成することにより、容易に扉の第１枢軸と第１補助枢軸の第１補助枢軸部を嵌合できるため、枢軸の変形やガタツキを防止し、扉交換が容易にできる冷蔵庫を提供することを目的とする。
【００１０】
本発明の他の目的は、扉を持ち上げた際、第１補助枢軸の第１補助枢軸部の先端と、扉の上面縁部に設けた第１枢軸の底面と若干の隙間を設けることにより、扉の第１枢軸は筒状の扉支持部材の端面に当接するため、第１補助枢軸を押し上げることがなく、第１補助枢軸がテーブルに当たることを防げるため、クッション材を廃止することもできることにより、部品点数が減り、工数も減らすことができる。
【００１１】
【課題を解決するための手段】
この目的を達成するため本発明は、開口の両側に配設した扉の上面縁部に凹形状で底面にＤ状の凸部を設けた第１枢軸を嵌合した扉と、筒形状で上下方向に任意の位置に取付け面を有した扉支持部材を固着したテーブル用の補強枠と、第１補助枢軸を前記第１枢軸との回転を防止するＤカット部を下端に設けた第１補助枢軸部とカムを一体としたのである。
【００１２】
これにより、容易に扉の第１枢軸と第１補助枢軸の第１補助枢軸部を嵌合できるため、容易に扉交換ができる。さらに、扉に負荷が加わっても第１補助枢軸が変形、ガタツキ等の不具合を防止することができる。
【００１３】
また、本発明は、第１補助枢軸の第１補助枢軸部の先端と、扉の上面縁部に設けた第１枢軸の底面と若干の隙間を設けたのである。
【００１４】
これにより、扉を持ち上げた際、の第１枢軸は筒状の扉支持部材の端面に当接するため、第１補助枢軸を押し上げることがなく、第１補助枢軸がテーブルに当たることを防げるため、クッション材を廃止することもできることにより、部品点数が減り、工数も減らすことができる。
【００１５】
【発明の実施の形態】
本発明の請求項１に記載の発明は、開口の両側に配設した扉の上面縁部に凹形状で底面にＤ状の凸部を設けた第１枢軸を嵌合した扉と、筒形状で上下方向に任意の位置に取付け面を有した扉支持部材を固着したテーブル用の補強枠と、前記第１枢軸との回転を防止するＤカット部を下端に設けた第１補助枢軸部とのカムを一体で形成した第１補助枢軸とを備えたものであり、扉の第１枢軸と第１補助枢軸の第１補助枢軸部のガタツキや変形を防止して嵌合することができ、容易に扉交換をすることが可能となる。
【００１６】
請求項２に記載の発明は、第１補助枢軸部の先端と、扉の上面縁部に設けた第１枢軸の底面に若干の隙間を設けた第１補助枢軸を備えたものであり、扉を持ち上げた際、の第１枢軸は筒状の扉支持部材の端面に当接するため、第１補助枢軸を押し上げることがなく、第１補助枢軸がテーブルに当たることを防ぐことが可能となる。さらに、クッション材を廃止できることにより、部品点数が減り、工数も減らすことができる。
【００１７】
以下、本発明による冷蔵庫の実施の形態について、図面を参照しながら説明する。なお、従来と同一構成については、同一符号を付して詳細な説明を省略する。
【００１８】
（実施の形態１）
図１は、本発明の実施の形態１による冷蔵庫の側面断面図である。図２は、同実施の形態の冷蔵庫の部分斜視図である。図３は、同実施の形態の冷蔵庫の扉閉状態の部分平面断面図である。図４は、同実施の形態の冷蔵庫の扉開状態の部分平面断面図である。
【００１９】
図１、図２、図３、図４において、１は前面に開口を有した断熱箱体からなる本体キャビネットで、２は前記開口の両側に配設された断熱箱体を有する扉で、前記本体キャビネット１の左右縁部の下に、前記扉２の下部を軸支する下ヒンジ３が固着されている。４はテーブルで、１４は前記扉２の上部にヒンジ穴１５を有し、筒形状で上下方向に任意の位置に取付け面１６ａを有した筒状の扉支持部材１６をビス等で固着したテーブル用の補強枠。１７は前記扉２の上面縁部に凹形状で底面にＤ形状の凸部１７ａを設けた第１枢軸で前記扉２の上面縁部に固着され、前記補強枠１４のヒンジ穴１５に固着した扉支持部材１６を介して、前記扉２に設けた第１枢軸１７によって枢支されている。前記扉支持部材１６からの落下防止する当接部１８ａと、前記当接部１８ａから上方向にカム１８ｂと、前記第１枢軸１７との回転を防止する第１補助枢軸部１８ｃの下端にＤカット部１８ｄを一体で形成した第１補助枢軸１９を設けている。１１はマイクロスイッチで先端にローラ１１ａを有する揺動自在のスイッチ作動腕１１ｂを設け、前記補強枠１４の扉２とは反対側に固定されている。
【００２０】
以上のように構成された冷蔵庫について、以下その動作を説明する。
【００２１】
扉２の上面縁部に凹形状で底面にＤ形状の凸部１７ａ部に設けた第１枢軸１７は補強枠１４に固着された筒状の扉支持部材１６により枢支され、前記扉支持部材１６からの落下防止する当接部１８ａと、前記当接部１８ａから上方向にカム１８ｂと前記第１枢軸１７との回転を防止する第１補助枢軸部１８ｃの下端にＤカット部１８ｄを一体で形成した第１補助枢軸１９は、前記筒状の扉支持部材１６を介して挿着され、前記扉２に固着された第１枢軸１７の底面に設けたＤ形状の凸部１７ａと前記第１枢軸１７との回転を防止する第１補助枢軸部１８ｃの下端にＤカット部１８ｄが嵌合するため、扉２を開閉することにより、前記第１補助枢軸１９のカム１８ｂ部も共に回転し、前記カム１８ｂ部と一部係合するスイッチ作動腕１１ｂのローラ１１ａは前記カム１８ｂの円周上に沿って滑らかに転がり、マイクロスイッチ１１の前記スイッチ作動腕１１ｂを介して開閉する。
【００２２】
以上のように本発明の実施の形態の冷蔵庫は、筒状の扉支持部材１６を補強枠１４に固着し、扉２の上面縁部に凹形状で底面にＤ形状の凸部１７ａを形成した第１枢軸１７に扉支持部材１６を差し込んで枢支し、前記扉支持部材１６からの落下防止する当接部１８ａと前記当接部１８ａから上方向にカム１８ｂと前記第１枢軸１７との回転を防止する第１補助枢軸部１８ｃの下端にＤカット部１８ｄを一体で形成した第１補助枢軸１９を前記筒状の扉支持部材１６を介して挿着することにより第１枢軸１７と第１補助枢軸１９の嵌合を容易することが可能となる。さらに、扉２に負荷が加わっても第１補助枢軸１９が変形、ガタツキ等の不具合を防止することができる。
【００２３】
（実施の形態２）
図５は、本発明の実施の形態２による冷蔵庫の側面断面図である。
【００２４】
図５において、扉２の上面縁部に凹形状で底面にＤ形状の凸部１７ａを形成した第１枢軸１７と、前記扉２の第１枢軸１７を枢支する扉支持部材１６と、前記扉支持部材１６からの落下防止する当接部２０ａと前記当接部２０ａから上方向にカム２０ｂと、前記第１枢軸１７との回転を防止する第１補助枢軸部２０ｃの下端にＤカット部２０ｄを一体で形成し、前記第１枢軸１７のＤ形状の凸部１７ａと嵌合する先端に若干の隙間Ａを設けた第１補助枢軸２１とを設けている。
【００２５】
以上のように構成された冷蔵庫について、以下にその動作を説明する。
【００２６】
筒状の扉支持部材１６を補強枠１４に固着し、扉２の上面縁部に凹形状で底面にＤ形状の凸部１７ａを形成した第１枢軸１７に扉支持部材１６を差し込んで枢支し、前記扉支持部材１６からの落下防止する当接部２０ａと前記当接部２０ａから上方向にカム２０ｂと、前記第１枢軸１７との回転を防止する第１補助枢軸部２０ｃの下端にＤカット部２０ｄを一体で形成し、前記第１枢軸１７のＤ形状の凸部１７ａと嵌合する先端に若干の隙間Ａを設けた第１補助枢軸２１を前記筒状の扉支持部材１６を介して挿着することにより、扉２を脱着する際に、扉２を持ち上げても第１枢軸１７が扉支持部材１６に当り、第１補助枢軸２１が押し上げられることを防止することができ、テーブル４の傷つきを無くすることが可能となる。さらに、クッション材１３を廃止できるため、部品点数を減らすことができ、工数も減らすことが可能となる。
【００２７】
【発明の効果】
以上説明したように請求項１に記載の発明は、開口の両側に配設した扉の上面縁部に凹形状で底面にＤ状の凸部を設けた第１枢軸を嵌合した扉と、筒形状で上下方向に任意の位置に取付け面を有した扉支持部材を固着したテーブル用の補強枠と、第１補助枢軸を前記第１枢軸との回転を防止するＤ状の切り欠きを下端に設けた第１補助枢軸部とカムを一体としたのである。
【００２８】
これにより、容易に扉の第１枢軸と第１補助枢軸の第１補助枢軸部を嵌合できるため、容易に扉交換ができる。さらに、扉に負荷が加わっても第１補助枢軸が変形、ガタツキ等の不具合を防止することができる。
【００２９】
また、請求項２に記載の発明は、第１補助枢軸部の先端と、扉の上面縁部に設けた第１枢軸の底面に若干の隙間Ａを設けた第１補助枢軸を備えたものであり、扉を持ち上げた際、扉の第１枢軸は筒状の扉支持部材の端面に当接するため、第１補助枢軸を押し上げることがなく、第１補助枢軸がテーブルに当たることを防ぐことが可能となる。さらに、クッション材を廃止できることにより、部品点数が減り、工数も減らすことができる。
【図面の簡単な説明】
【図１】本発明による冷蔵庫の実施の形態１の側面断面図
【図２】同実施の形態の冷蔵庫の部分斜視図
【図３】同実施の形態の冷蔵庫の扉閉状態の部分平面断面図
【図４】同実施の形態の冷蔵庫の扉開状態の部分平面断面図
【図５】本発明による冷蔵庫の実施の形態２の側面断面図
【図６】従来の冷蔵庫の外観斜視図
【図７】従来の冷蔵庫の側面断面図
【図８】従来の冷蔵庫の部分斜視図
【図９】従来の冷蔵庫のシ扉開状態の部分平面断面図
【図１０】従来の冷蔵庫の扉開状態の部分平面断面図
【符号の説明】
１  本体キャビネット
２  扉
３  下ヒンジ
４  下ヒンジ
１１  マイクロスイッチ
１１ａ  ローラ
１１ｂ  スイッチ作動腕
１４  補強枠
１５  ヒンジ穴
１６  扉支持部材
１６ａ  取付け面
１７  第１枢軸
１７ａ  Ｄ状の凸部
１８ａ  当接部
１８ｂ  カム
１８ｃ  第１補助枢軸部
１８ｄ  Ｄカット部
１９  第１補助枢軸
２０ａ  当接部
２０ｂ  突起形状のカム
２０ｃ  第１補助枢軸部
２１  第１補助枢軸
【図１】
2005030638.tif 000003
【図２】
2005030638.tif 000004
【図３】
2005030638.tif 000005
【図４】
2005030638.tif 000006
【図５】
2005030638.tif 000007
【図６】
2005030638.tif 000008
【図７】
2005030638.tif 000009
【図８】
2005030638.tif 000010
【図９】
2005030638.tif 000011
【図１０】
2005030638.tif 000012